【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材とを備えてなり、
前記梁材保持手段が、前記主桁の腹板に取り付けられる吊り金具と、この吊り金具に鉛直方向回転可能に支持され、前記梁材の前記一端を保持する保持部と、この保持部を前記吊り金具に対して所望の角度に傾けて維持させる角度調整手段と、を備えてなることを特徴とする固定型枠の支持機構。
【請求項２】  吊り金具には、その上下方向の所定の位置にて保持部を支持せしめる複数の支持部が形成されていることを特徴とする請求項１記載の固定型枠の支持機構。
【請求項３】  梁材保持手段の保持部には、梁材の一端が取り付けられる保持位置がその上下方向に複数設けられていることを特徴とする請求項１又は２に記載の固定型枠の支持機構。
【請求項４】  平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材と、前記主桁の外側方に配された梁材よりさらに外側方に、該梁材に対して着脱可能に設けられ該梁材と同軸上に延びる補助梁と、を備え、
前記補助梁には、この補助梁を、打設される前記床版に着脱自在に取り付ける補助梁取付手段が設けられていることを特徴とする固定型枠の支持機構。
【請求項５】  補助梁取付手段は、打設されるコンクリート床版に埋め込まれるインサートと、該インサートにねじ込む吊り棒と、該吊り棒に取り付けられて補助梁を下から支持する受け板とを備えてなることを特徴とする請求項４に記載の固定型枠の支持機構。
【請求項６】  平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材とを備えてなり、
主桁同士の間に配される各梁材の他端には、各主桁にそれぞれ保持された前記梁材同士を連絡する第二ビーム材を連結させる第二ビーム連結手段がそれぞれ設けられていることを特徴とする固定型枠の支持機構。
【請求項７】  第二ビーム連結手段は、前記各梁材に対して水平方向に回転可能に前記第二ビームを前記梁材に連結することを特徴とする請求項６に記載の固定型枠の支持機構。
【請求項８】  構造物の骨格を成す主要部材に梁材を保持するための保持用ジグであって、
前記主要部材に取り付けられる吊り金具と、この吊り金具に対して鉛直方向に回転可能に支持され、前記梁材を保持する保持部と、前記吊り金具に対する前記保持部の回転角を所定の角度に調整すると共に、調整された所定の角度にて前記保持部を前記吊り金具に対して維持する角度調整手段とを備えてなることを特徴とする梁材保持用ジグ。
【請求項９】  吊り金具には、その上下方向の所定の位置にて保持部を支持せしめる複数の支持部が形成されていることを特徴とする請求項８記載の梁材保持用ジグ。
【請求項１０】  保持部には、梁材の一端が取り付けられる保持位置がその上下方向に複数設けられていることを特徴とする請求項８又は９に記載の梁材保持用ジグ。
【請求項１１】  角度調整手段は、前記吊り金具に対して往復動するように前記保持部に取り付けられたロッドと、このロッドの先端に結合され、かつ、前記吊り金具に嵌め込ませる嵌め込み部の形成されたヘッド部とを有し、
前記ロッドの先端と前記ヘッド部との結合が自在継ぎ手の構造に構成されていることを特徴とする請求項８〜１０のいずれか一項に記載の梁材保持用ジグ。
【請求項１２】  平行に延びる主桁に床版を打設する方法であって、
各主桁の左右両側に支持材をそれぞれ取り付け、各主桁の左右両側にて梁材を前記主桁と交差する方向に配置し、該梁材よりさらに外側方に、該梁材に対して着脱可能に補助梁を取り付ける支持機構設置工程と、
該支持機構設置工程によって設置された支持機構で支持して固定型枠を設置し、該固定型枠を利用して前記主桁に床版を打設する床版打設工程と、
前記補助梁を足場として前記床版の側縁に壁高欄を設置する壁高欄設置工程と、を備えたことを特徴とする床版の打設方法。
【請求項１３】  平行に延びる主桁に床版を打設する方法であって、
各主桁の左右両側に支持材をそれぞれ取り付け、各主桁の左右両側にて梁材を前記主桁と交差する方向に配置し、該梁材よりさらに外側方に、該梁材に対して着脱可能に補助梁を取り付ける支持機構設置工程と、
該支持機構設置工程によって設置された支持機構で支持して固定型枠を設置し、該固定型枠を利用して前記主桁に床版を打設する床版打設工程と、
前記補助梁を残して前記支持機構の他の部材を除去する支持機構除去工程と、
前記補助梁を足場として前記床版の側縁に壁高欄を設置する壁高欄設置工程と、を備えたことを特徴とする床版の打設方法。
【手続補正２】
【補正対象書類名】明細書
【補正対象項目名】００１０
【補正方法】変更
【補正の内容】
【００１０】
【課題を解決するための手段】
（１）本発明に係る固定型枠の支持機構は、平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材とを備えてなり、前記梁材保持手段が、前記主桁の腹板に取り付けられる吊り金具と、この吊り金具に鉛直方向回転可能に支持され、前記梁材の前記一端を保持する保持部と、この保持部を前記吊り金具に対して所望の角度に傾けて維持させる角度調整手段と、を備えてなることを特徴とするものである。
（２）また、上記（１）に記載のものにおいて、吊り金具には、その上下方向の所定の位置にて保持部を支持せしめる複数の支持部が形成されているようにしたことを特徴とするものである。
【手続補正３】
【補正対象書類名】明細書
【補正対象項目名】００１１
【補正方法】変更
【補正の内容】
【００１１】
本発明によれば、前記吊り金具に、その上下方向の所定の位置にて前記保持部を支持する支持部が複数形成されており、前記保持部がこれら支持部の中から択一的に選択された支持部に支持される。このため、床版の下面を支持する梁材を、所望の高さに容易に設置することができる。これに加え、梁材を保持する保持部は、吊り金具に対して回転可能に構成されているため、梁材の傾きを所望の傾斜角に変化させることができる。これにより、床版の下面形状を正確に調整できる。また、保持部を吊り金具に対して回転させることにより、保持部が前記梁材を保持している保持位置が相対的に上下に移動する。これを利用して梁材の設置位置を上下に移動させることもできる。
【手続補正４】
【補正対象書類名】明細書
【補正対象項目名】００１２
【補正方法】変更
【補正の内容】
【００１２】
（３）また、上記（１）または（２）に記載の梁材保持手段の保持部には、梁材の一端が取り付けられる保持位置がその上下方向に複数設けられていることを特徴とするものである。
このため、高さの調整幅を大きく採ることができると共に、吊り金具とこの保持部との調整機構との組み合わせにより細かい調整をすることができる。
【手続補正５】
【補正対象書類名】明細書
【補正対象項目名】００１３
【補正方法】変更
【補正の内容】
【００１３】
（４）また、本発明に係る固定型枠の支持機構は、平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材と、前記主桁の外側方に配された梁材よりさらに外側方に、該梁材に対して着脱可能に設けられ該梁材と同軸上に延びる補助梁と、を備え、
前記補助梁には、この補助梁を、打設される前記床版に着脱自在に取り付ける補助梁取付手段が設けられていることを特徴とするものである。
（５）また、上記（４）に記載の補助梁取付手段は、打設されるコンクリート床版に埋め込まれるインサートと、該インサートにねじ込む吊り棒と、該吊り棒に取り付けられて補助梁を下から支持する受け板とを備えてなることを特徴とするものである。
【手続補正６】
【補正対象書類名】明細書
【補正対象項目名】００１４
【補正方法】変更
【補正の内容】
【００１４】
かかる構成を設けることで、床版の打設後に、補助梁以外の部材を主桁から取り外し、補助梁のみを残留させておくことができる。これにより、当該補助梁を足場として利用できる。また、補助梁以外の部位を主桁から取り外すことができるため、主桁に余分な力を作用させることを防止できる。
【手続補正７】
【補正対象書類名】明細書
【補正対象項目名】００１５
【補正方法】変更
【補正の内容】
【００１５】
（６）また、本発明に係る固定型枠の支持機構は、平行に延びる主桁に床版を打設する際に使用される固定型枠の支持機構であって、前記各主桁の左右両側にそれぞれ取り付けられる支持材と、各主桁の左右両側にてこの主桁と交わる方向に延びるようにそれぞれ配置されて、一端が前記主桁に梁材保持手段によって保持されると共に他端が前記支持材に支持される梁材とを備えてなり、
主桁同士の間に配される各梁材の他端には、各主桁にそれぞれ保持された前記梁材同士を連絡する第二ビーム材を連結させる第二ビーム連結手段がそれぞれ設けられていることを特徴とするものである。
（７）また、上記（６）に記載の第二ビーム連結手段は、前記各梁材に対して水平方向に回転可能に前記第二ビームを前記梁材に連結することを特徴とするものである。
【手続補正８】
【補正対象書類名】明細書
【補正対象項目名】００１６
【補正方法】変更
【補正の内容】
【００１６】
このように、主桁同士の間に設けられる梁同士を第二のビーム材で連絡することで、固定型枠の支持機構の剛性を向上させることができる。この際、本発明が採用する構成のように、梁材に対して第二ビーム材が水平方向に回転可能であるため、一方の一の主桁と他の主桁にそれぞれ取り付けられている梁材が例え主桁の延びる方向において互い違いの部位に設置されていても、第二ビーム材を梁材に対して回転させることで容易に梁材同士を連絡することができる。
【手続補正９】
【補正対象書類名】明細書
【補正対象項目名】００１７
【補正方法】変更
【補正の内容】
【００１７】
（８）本発明に係る梁材保持用ジグは、構造物の骨格を成す主要部材に梁材を保持するための保持用ジグであって、
前記主要部材に取り付けられる吊り金具と、この吊り金具に対して鉛直方向に回転可能に支持され、前記梁材を保持する保持部と、前記吊り金具に対する前記保持部の回転角を所定の角度に調整すると共に、調整された所定の角度にて前記保持部を前記吊り金具に対して維持する角度調整手段とを備えてなることを特徴とするものである。
（９）また、上記（８）に記載のものにおいて、吊り金具には、その上下方向の所定の位置にて保持部を支持せしめる複数の支持部が形成されていることを特徴とするものである。
【手続補正１０】
【補正対象書類名】明細書
【補正対象項目名】００１８
【補正方法】変更
【補正の内容】
【００１８】
橋梁の主桁に床版を打設する際に使用する固定型枠の支持機構に設けられる梁材や、建築構造物の支柱及び梁材に取り付けられる梁材は、その高さ、並びに傾きを調整することが多々行われる。本発明にかかる梁材保持用ジグによれば、保持部を吊り金具に対する保持部の支持位置を所望の高さの位置に選択して支持させることができる。これにより、梁材の高さを調整できる。しかも、吊り金具に設けられた支持部のなかから所望の支持部を選択するだけなので、高さ調整をきわめて容易に行うことができる。また、保持部は、吊り金具に対して回転可能構成され、両者の角度を調整する角度調整機構が設けられているため、傾きを調整しつつ高さを調整できる。
【手続補正１１】
【補正対象書類名】明細書
【補正対象項目名】００１９
【補正方法】変更
【補正の内容】
【００１９】
（１０）上記（８）又は（９）に記載のものにおいて、保持部には、梁材の一端が取り付けられる保持位置がその上下方向に複数設けられていることを特徴とするものである。
【手続補正１２】
【補正対象書類名】明細書
【補正対象項目名】００２０
【補正方法】変更
【補正の内容】
【００２０】
かかる構成を備えているので、高さの調整幅を大きくすることができるだけでなく、吊り金具と保持部との調整機構との組み合わせで、より細かい調整を可能とする。
【手続補正１３】
【補正対象書類名】明細書
【補正対象項目名】００２１
【補正方法】変更
【補正の内容】
【００２１】
（１１）また、上記（８）〜（１０）のいずれかに記載のものにおいて、角度調整手段は、前記吊り金具に対して往復動するように前記保持部に取り付けられたロッドと、このロッドの先端に結合され、かつ、前記吊り金具に嵌め込ませる嵌め込み部の形成されたヘッド部とを有し、前記ロッドの先端と前記ヘッド部との結合が自在継ぎ手の構造に構成されていることを特徴とするものである。
【手続補正１４】
【補正対象書類名】明細書
【補正対象項目名】００２２
【補正方法】変更
【補正の内容】
【００２２】
ヘッドに嵌め込み部を設けることで、ヘッドが吊り金具から外れてしまうことを効果的に防止する。また、ロッド先端とヘッドとの結合が自在継ぎ手の構造となっているため、この角度調整手段は、保持部の吊り金具に対する角度に自在に対応する。なお、吊り金具へのロッドの取付としては、吊り金具にねじ孔を形成しすると共に、ロッドの外周面にねじを形成し、吊り金具のねじ孔にロッドを螺合させる構成を採用するとよい。この際、ロッドの後端部を六角形状に形成することで、一般に使用されるラチェットレンチによってこのロッドを往復動させることができる。
【手続補正１５】
【補正対象書類名】明細書
【補正対象項目名】００２３
【補正方法】変更
【補正の内容】
【００２３】
（１２）また、本発明の床版の打設方法は、平行に延びる主桁に床版を打設する方法であって、各主桁の左右両側に支持材をそれぞれ取り付け、各主桁の左右両側にて梁材を前記主桁と交差する方向に配置し、該梁材よりさらに外側方に、該梁材に対して着脱可能に補助梁を取り付ける支持機構設置工程と、該支持機構設置工程によって設置された支持機構で支持して固定型枠を設置し、該固定型枠を利用して前記主桁に床版を打設する床版打設工程と、前記補助梁を足場として前記床版の側縁に壁高欄を設置する壁高欄設置工程と、を備えたことを特徴とする床版の打設方法。
（１３）また、本発明の床版の打設方法は、平行に延びる主桁に床版を打設する方法であって、各主桁の左右両側に支持材をそれぞれ取り付け、各主桁の左右両側にて梁材を前記主桁と交差する方向に配置し、該梁材よりさらに外側方に、該梁材に対して着脱可能に補助梁を取り付ける支持機構設置工程と、該支持機構設置工程によって設置された支持機構で支持して固定型枠を設置し、該固定型枠を利用して前記主桁に床版を打設する床版打設工程と、前記補助梁を残して前記支持機構の他の部材を除去する支持機構除去工程と、前記補助梁を足場として前記床版の側縁に壁高欄を設置する壁高欄設置工程と、を備えたことを特徴とするものである。
【手続補正１６】
【補正対象書類名】明細書
【補正対象項目名】００２４
【補正方法】変更
【補正の内容】
【００２４】
この打設方法によれば、補助梁を設け、これを床版に取り付けることで、床版の側部に壁高欄を設置する際に、この補助梁を足場として利用することができる。この際、補助梁のみを残し、他の部材を主桁から除去すれば、主桁に余分な力を作用させることを防止できる。また、壁高欄を設置する前に、支持機構を主桁から取り去ることができるため、施工期間を短縮することができる。